(57)【要約】  本開示におけるレンズ鏡筒は、レンズ保持枠（１）に固定支持されたカムピン（３ａ、３ｂ、３ｃ）と、レンズ保持枠（１）のカムピン（３ａ）の近傍に付勢支持された１本の付勢ピン（４）と、カムピン（３ａ、３ｂ、３ｃ）および付勢ピン（４）のそれぞれと係合するカム溝を有するカム枠（６）と、を備える。付勢ピン（４）と係合するカム溝（７ｄ）は、光軸方向片側の側面で付勢ピン（４）と係合し、付勢ピン（４）の近傍のカムピン（３ａ）と係合するカム溝（７ａ）は、付勢ピン（４）と係合する側面と光軸方向反対側の側面で、カムピン（３ａ）と係合する。
2019092921.tif 000002
【特許請求の範囲】
【請求項１】
レンズ玉を保持するレンズ保持枠と、
前記レンズ保持枠に固定支持された少なくとも１本のカムピンと、
前記レンズ保持枠の前記カムピンのうち１本の近傍に付勢支持された１本の付勢ピンと、
前記カムピンおよび付勢ピンのそれぞれと係合するカム溝を有するカム枠と、
を備え、
前記付勢ピンと係合するカム溝は、光軸方向片側の側面で前記付勢ピンと係合し、前記付勢ピンの近傍のカムピンと係合するカム溝は、前記付勢ピンと係合する側面と光
軸方向反対側の側面で、前記カムピンと係合する、
レンズ鏡筒。
【請求項２】
前記カム溝は、前記付勢ピンと係合する側面と、前記カムピンと係合する側面とが１本の溝として形成されている、
請求項１記載のレンズ鏡筒。
【請求項３】
前記付勢ピンは、半径方向に付勢支持され、
前記カム溝の、前記付勢ピンと係合する側面の、カム枠の半径方向とのなす角をαとした場合、以下の条件（１）
３３．７°≦α≦４４．４°・・・（１）
を満足する、
請求項１または２に記載のレンズ鏡筒。
【請求項４】
前記付勢ピンは、前記カムピンの形状に対し、一部が食い込む形で支持されている、
請求項１から３のいずれか１項に記載のレンズ鏡筒。
【発明の詳細な説明】
【技術分野】
【０００１】
本開示は、デジタルスチルカメラ等に用いられるレンズ鏡筒に関する。
【背景技術】
【０００２】
従来、デジタルスチルカメラ等の撮像装置に用いられるレンズ鏡筒は、光学系を構成する複数のレンズ玉とレンズ玉を保持するレンズ保持枠と、ズームに応じてレンズ保持枠の位置を変化させるカム枠とを有する。【０００３】
レンズ玉の位置が少しでもずれると、撮像装置の解像性能が悪くなる。更に、ズーム途中にレンズ保持枠がガタつくと、ピントがズレたり、像がブレたりする。
また、近年は画像を視聴する表示装置（テレビ、ＰＣ用モニタ等）の高画素化に合わせ、撮像装置の高画素化が進んでおり、従来は気にならなかったズーム時のピントズレや、像ブレが目立つ様になってきており、改善が望まれている。【０００４】
上記課題に対応する為、従来から、レンズ保持枠のガタを抑制する構造が複数開示されている。
例えば、特許文献１に開示されるレンズ鏡筒では、カムピンをばねにより付勢することにより、カム溝とカムピンの間のガタを抑止する構造が開示されている。【０００５】
また、特許文献２に開示されるレンズ鏡筒では、互いに合同な二つのカム曲線を有し、互いに周面上で離間する一対のカム溝を有した筒状の第１の枠と、上記一対のカム溝の一方に係合する第１のカムピンと上記一対のカム溝の他方に係合する第２のカムピンとからなる一対のカムピンと、上記第１のカムピン若しくは上記第２のカムピンの一方の固定端が上記第１の枠の径方向に弾性変形可能な形状部分に固定される保持部と、を有する。そして、上記第１の枠に対し光軸方向に相対移動する第２の枠と、を具備し、上記一対のカムピンと上記一対のカム溝との係合において、上記一対のカムピン同士の配置距離は、上記一対のカム溝同士の配置距離と異なる構造が開示されている。
【先行技術文献】
【特許文献】
【０００６】
【特許文献１】特開昭６２−１１２１０９号公報
【特許文献２】特開２０１６−１０９８５９号公報
【発明の概要】
【０００７】
本開示は、レンズ保持枠のガタを抑制するとともに、レンズ保持枠の位置を固定できる高性能なレンズ鏡筒を提供する。
（課題を解決するための手段）
本開示におけるレンズ鏡筒は、レンズ玉を保持するレンズ保持枠と、レンズ保持枠に固定支持された少なくとも１本のカムピンと、レンズ保持枠のカムピンのうち１本の近傍に付勢支持された１本の付勢ピンと、カムピンおよび付勢ピンのそれぞれと係合するカム溝を有するカム枠と、を備える。そして、付勢ピンと係合するカム溝は、光軸方向片側の側面で付勢ピンと係合し、付勢ピンの近傍のカムピンと係合するカム溝は、付勢ピンと係合する側面と光軸方向反対側の側面で、カムピンと係合する。
（発明の効果）
本開示におけるレンズ鏡筒は、レンズ保持枠のガタを抑制すると共に、レンズ保持枠の位置を固定することができる高性能なレンズ鏡筒を提供できる。
【図面の簡単な説明】
【０００８】
【図１Ａ】実施の形態１におけるレンズ保持枠ユニットの構成を示す斜視図。
【図１Ｂ】実施の形態１におけるレンズ保持枠ユニットの構成を示す正面図。
【図１Ｃ】図１ＢのＡ-Ａ線断面図。
【図２Ａ】実施の形態１におけるカム枠の構成を示す斜視図。
【図２Ｂ】図２Ａのカム枠の内径展開図。
【図３Ａ】実施の形態１にかかるレンズ保持枠ユニットとカム枠を組み合わせた状態を示す図。
【図３Ｂ】図３ＡのＡ-Ａ線断面図。
【図４Ａ】実施の形態１にかかるカムピン、付勢ピンとカム溝の係合状態を示す断面詳細図。
【図４Ｂ】実施の形態１にかかるカムピン、付勢ピンとカム溝の係合状態を示す断面詳細図。
【図５Ａ】実施の形態１におけるレンズ保持枠ユニットの構成を示す斜視図。
【図５Ｂ】実施の形態１におけるレンズ保持枠ユニットの構成を示す正面図。
【図５Ｃ】実施の形態１におけるレンズ保持枠ユニットの構成を示す上面図。
【図５Ｄ】図５ＢのＡ−Ａ線断面図。
【図６Ａ】実施の形態１におけるカム枠の構成を示す斜視図。
【図６Ｂ】図６Ａのカム枠の内径展開図。
【図７Ａ】実施の形態１にかかるレンズ保持枠ユニットとカム枠を組み合わせた状態を示す図。
【図７Ｂ】図７ＡのＡ−Ａ線断面図。
【図８Ａ】実施の形態１にかかるカムピン、付勢ピンとカム溝の係合状態を示す断面詳細図。
【図８Ｂ】実施の形態１にかかるカムピン、付勢ピンとカム溝の係合状態を示す断面詳細図。
【図９Ａ】従来技術のレンズ鏡筒の断面模式図。
【図９Ｂ】従来技術のレンズ鏡筒の断面模式図。
【発明を実施するための形態】
【０００９】
（本開示の基礎となった知見）
本発明者は、「背景技術」の欄において記載した上記特許文献１に関し、以下の問題が生じることを見出した。
【００１０】
特許文献１に開示されているレンズ鏡筒の構成では、ばね付勢されたカムピンにより、カム溝とカムピン間のガタは完全に抑制されるものの、ばねによりカムピンを半径方向に移動可能な状態にするため、レンズ保持枠と、カムピンの間には必ず一定量の隙間が必要であり、この部分のガタにより、レンズ保持枠の位置が完全に固定できない。
【００１１】
また、本発明者は、「背景技術」の欄において記載した上記特許文献２に関し、以下の問題が生じることを見出した。
特許文献２に開示されているレンズ鏡筒の構成では、レンズ保持枠はガタ無く保持されているものの、レンズ保持枠の位置は完全には固定されない状態となっている。
【００１２】
この課題について、以下、図９Ａ、図９Ｂを用いて簡単に説明する。
図９Ａ、図９Ｂは、特許文献２に開示されているレンズ鏡筒の構成で、レンズ保持枠が保持される状態を示した模式図である。
【００１３】
特許文献２に開示されているレンズ鏡筒では、固定されたカムピンと、弾性変形可能な部分に設けられたカムピンがそれぞれ３セット有する構成となっている。
図９Ａは、レンズ保持枠１１は、全体が紙面下方向に引っ張られる力Ｆ（例えば、重力）が加わった状態を示している。
【００１４】
特許文献２に開示されているレンズ鏡筒は、固定されたカムピンと、弾性変形可能なカムピンをそれぞれ３セット有するが、分かり易くする為に、２セットのみについて表記する。
【００１５】
図９Ａにおいて固定カムピン１３ａは、力Ｆを受け先端部がカム溝１７ａの溝底に近づく方向に移動する。このとき付勢カムピン１４ａは、固定カムピン１３ａとカム溝１７ａの間にガタを生じない様にカム溝１７ｄの溝底から離れる方向に移動する。
【００１６】
一方、反対側の固定カムピン１３ｂは、力Ｆを受け先端部がカム溝１７ｂの底から離れる方向で移動する。このとき付勢カムピン１４ｂは、固定カムピン１３ｂとカム溝１７ｅの間にガタを生じない様にカム溝１７ｂの溝底に近づく方向に移動する。
【００１７】
図９Ｂは、上記図９Ａと逆に、レンズ保持枠１１全体が紙面上方向に引っ張られる力Ｆが加わった状態（例えば、天地逆姿勢で使用した場合）を示している。
図９Ｂにおいて固定カムピン１３ａは、力Ｆを受け先端部がカム溝１７ａの底から離れる方向に移動する。このとき付勢カムピン１４ａは、固定カムピン１３ａとカム溝１７ａの間にガタを生じない様にカム溝１７ｄの溝底に近づく方向に移動する。
【００１８】
一方、反対側の固定カムピン１３ｂは、力Ｆを受け、先端部がカム溝１７ｂの溝底に近づく方向に移動する。このとき付勢カムピン１４ｂは、固定カムピン１３ｂとカム溝１７ｂの間にガタを生じない様にカム溝１７ｂの溝底から離れる方向に移動する。
【００１９】
ここで、図９Ａと図９Ｂのレンズ保持枠１１の姿勢に着目すると、図中の破線で示すレンズ保持枠１１の中心軸の、図中の実線で示すカム枠１６の中心軸に対する傾きθ、偏心ｄの向きが逆転していることが分かる。
【００２０】
つまり、特許文献２に開示されているレンズ鏡筒の構成では、レンズ保持枠の姿勢は十分に固定されていないということを示している。
このような問題を解決するために、本開示の一態様に係るレンズ鏡筒は、レンズ鏡筒は、レンズ玉を保持するレンズ保持枠と、レンズ保持枠に固定支持された少なくとも１本のカムピンと、レンズ保持枠のカムピンのうち１本の近傍に付勢支持された１本の付勢ピンと、カムピンおよび付勢ピンのそれぞれと係合するカム溝を有するカム枠と、を備える。そして、付勢ピンと係合するカム溝は、光軸方向片側の側面で付勢ピンと係合し、付勢ピンの近傍のカムピンと係合するカム溝は、付勢ピンと係合する側面と光軸方向反対側の側面で、カムピンと係合する。
【００２１】
これにより、レンズ保持枠のガタを抑制するとともに、レンズ保持枠の位置を良好に固定できる。そのため、カメラを構える姿勢（例えば、縦位置と横位置）等による、解像性能の劣化を防ぐことが出来る。
【００２２】
また、特にズームしながらの動画撮影等の際に、レンズ保持枠のガタを抑制できるので、ズーム途中にレンズ保持枠がガタついてピントがボケたり、像がブレたりすることを防ぐことが出来る、高性能なレンズ鏡筒を提供出来る。
【００２３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、出願人は、当業者が本開示を十分に理解するために添付図面および以下の説明を提供するのであって、これらによって特許請求の範囲に記載の主題を限定することを意図するものではない。
【００２５】
（実施の形態１）
以下、図１Ａ〜図４Ｂを用いて、実施の形態１について説明する。
［１．レンズ鏡筒の構成］
図１Ａおよび図１Ｂは、本実施の形態１のレンズ保持枠１の構成を示す図である。
【００２６】
図１Ａは、斜視図、図１Ｂは、正面図、図１Ｃは、Ａ−Ａ断面図である。
図１において、レンズ保持枠１は、略円筒型であり樹脂射出成型などによって作成されている。内周部には光学系を構成するレンズ玉２が固定されている。外周部には略円錐台形状のカムピン３ａ、３ｂ、３ｃが３箇所、樹脂にて一体に成型されている。
【００２７】
図１においてレンズ保持枠１には、カムピン３ａ、３ｂ、３ｃは、円周方向に３箇所均等に設けられているが、外径方向（紙面上方向）のカムピン３ａの近傍には付勢ピン４が支持されている。
【００２８】
付勢ピン４は、金属切削加工で作成されており、圧縮コイルばね５によりレンズ保持枠１の半径方向（紙面上方向）に付勢されている。
図２Ａおよび図２Ｂは、カム枠６の構成を示す図である。
【００２９】
図２Ａは、カム枠６の斜視図、図２Ｂは、カム枠６の内径展開図である。
図２Ａおよび図２Ｂにおいて、カム枠６は、樹脂射出成型などにより作成されている。
図２Ｂにおいて、カム枠６には、レンズ保持枠１のカムピン３ａ、３ｂ、３ｃとそれぞれ係合するカム溝７ａ、７ｂ、７ｃが３箇所均等に設けられている。これにより、カムピン３ａ、３ｂ、３ｃは、対応するカム溝７ａ、７ｂ、７ｃに沿って摺動できる。また、カム溝７ａと並んでレンズ保持枠１の付勢ピン４に対応するカム溝７ｄが形成されている。
【００３０】
これにより、付勢ピン４は、カム溝７ｄに沿って摺動できる。これら４本のカム溝７ａ、７ｂ、７ｃ、７ｄは全て同じ軌跡で作成されている。
また、カムピン３ａと係合するカム溝７ａと、付勢ピン４と係合するカム溝７ｄの間隔は、レンズ保持枠ユニットに設けられた、カムピン３ａと付勢ピン４の間隔より僅かに小さく形成されている。
【００３１】
上記のように、レンズ保持枠１およびカム枠６を構成すると、カム枠６に対するレンズ保持枠１のガタを良好に抑制できると共に、カム枠６に対するレンズ保持枠１の姿勢が良好に固定されるようになる。
【００３２】
その理由について詳しく説明する。
図３Ａおよび図３Ｂは、レンズ保持枠１とカム枠６を組み合わせた状態を示す図である。
【００３３】
図３Ａは、正面図、図３Ｂは、Ａ−Ａ断面図である。
図４Ａおよび図４Ｂは、カムピン３ａ、付勢ピン４とカム溝の係合状態を示す断面詳細図であり、図３Ｂの要部を、拡大した図である。
【００３４】
図４Ａは、カムピン３ａ、付勢ピン４周辺の断面詳細図である。
図４Ａにおいて付勢ピン４は圧縮コイルばね５により付勢されている為、常に図中Ｆに示す方向（紙面上方向）の力を受けている。
【００３５】
ここで、付勢ピン４と接触するカム枠６のカム溝７ｄのカム溝側面９に加わる力を考える。カム溝側面９は、付勢力Ｆに対して傾斜している為、カム枠６の半径方向の分力Ｆａ（紙面上方向）とカム枠６の光軸方向の分力Ｆｂ（紙面左方向）について考える。
【００３６】
分力Ｆｂの反力によりカム溝７ａのカム溝側面８は、カムピン３ａに押し当てられる。
これにより、カム溝７ａとカムピン３ａのガタが完全に抑制されると共に、カム枠６とカムピン３ａの相対位置が固定される。
【００３７】
図４Ｂは、カムピン３ａと異なる位置にあるカムピン３ｂ部の断面図である。
図４Ｂにおいて、レンズ保持枠１には、圧縮コイルばね５の反力により常に半径方向正の向きに押し付ける力が加わる。この力のより、カムピン３ｂはカム溝７ｂの底に押し込まれる方向の力が加わり、カムピン３ｂのガタが完全に抑制され、カム枠６とカムピン３ｂの相対位置が固定される。
【００３８】
図示しないが、もう１箇所のカムピン３ｃでも、図４Ｂと同様の状態になる。
以上により、カムピン３ａ、３ｂ、３ｃのガタが完全に抑制されると共に、カム枠６に対するカムピン３ａ、３ｂ、３ｃの位置が固定される為、カムピン３ａ、３ｂ、３ｃを有するレンズ保持枠１とカム枠６との間のガタがなくなると共に、レンズ保持枠１のカム枠６に対する位置が完全に固定される。
【００３９】
カム枠６とレンズ保持枠１との間にガタがあり、レンズ保持枠１の位置も固定されていない場合、カメラを構える姿勢等により、光学系内のレンズ玉２の位置が変化し、解像性能が劣化したりする場合がある。あるいは、ズーム途中でレンズ玉２の位置がずれてピントがボケたり、像がブレたりする場合があるが、本実施の形態１の構成により、カメラを構える姿勢や、ズームによるレンズ玉２の位置ずれが抑制されるので、解像性能が高く、またズームしながらの動画撮影等でもピントがボケたり、像がブレたりすることがない高品質なレンズ鏡筒が提供できる。
【００４０】
なお、本実施の形態１において、付勢ピン４を付勢している圧縮コイルばね５は、ばね力が強い程ガタを抑制する効果が高い。しかし、バネ力を強くし過ぎると、駆動時の摩擦力が大きくなり過ぎ、レンズ鏡筒が動作しなくなったり、磨耗が大きくなり、レンズ鏡筒の寿命が短くなったりする副作用が生じる。そのため、圧縮コイルばね５のばね力が、強すぎることは望ましくない。
【００４１】
最小限の強さのばね力で、効果的にガタを抑制する条件について簡単に記載する。
レンズ保持枠１のガタには、大きく分けて半径方向のガタと光軸方向のガタが存在する。
【００４２】
レンズ保持枠１の質量は一定の為、半径方向の力Ｆａと、光軸方向の力Ｆｂを等しくし、必要最低限の力で付勢することにより、半径方向のガタと光軸方向のガタを両方共抑制することができる。
【００４３】
ここで、半径方向Ｆａの力と、光軸方向の力Ｆｂを等しくする条件いついて考える。
図４Ａにおいてαは、カム枠６の半径方向とカム溝７ｄの付勢ピン４が摺動するカム溝側面９とのなす角を表す。カム溝側面９と付勢ピン４との間の摩擦係数が無視できる場合は、αが４５°の場合に半径方向Ｆａの力と、光軸方向の力Ｆｂが等しくなる。
【００４４】
レンズ鏡筒のカム枠６は、フッ素系潤滑剤などにより潤滑されることが一般的であるが、フッ素系潤滑剤で潤滑した場合の摩擦係数は０．０１から０．２程度になる場合が多い。
【００４５】
ここで、カム溝側面９と付勢ピン４との間の摩擦係数を考慮した場合、半径方向Ｆａの力と、光軸方向の力Ｆｂが等しくなる条件は、
摩擦係数０．０１の場合α＝４４．４°
摩擦係数０．２の場合α＝３３．７°
となる。
【００４６】
従って一般的には、下記の条件（１）
３３．７°≦α≦４４．４°・・・（１）
を満足するようにすることにより、半径方向Ｆａの力と、光軸方向の力Ｆｂがほぼ等しくなり、最低限の力で付勢することにより、半径方向のガタと光軸方向のガタを両方共効果的に抑制することができる。
【００４７】
なお、本実施の形態１では、レンズ保持枠１に３個のカムピン３ａ、３ｂ、３ｃが固定支持されている例を示した。しかしながら、レンズ保持枠１に固定支持されたカムピンは１個であるが、レンズ保持枠の光軸方向に対する傾き、偏心を規制する軸を設けてレンズ保持枠の姿勢を決める構成としても良い。あるいは、レンズ保持枠に固定支持されたカムピンは２本であるが、レンズ保持枠の光軸方向に対する傾き、偏心を規制するガイド機構を設ける構成でも良く、その他の構成も可能である。
【００４８】
ここで、レンズ保持枠１に固定支持されたカムピンが１本の場合、２本の場合いずれの場合も、付勢ピン４は１本であることが望ましい。もし、付勢ピン４が複数ある場合、複数の付勢ピン４によりレンズ保持枠１に違う方向から複数の力が加わる状態となり、レンズ保持枠の姿勢が安定しない状態となる。
【００４９】
一方、付勢ピン４が１本の場合、レンズ保持枠に対し常に１方向に力が加わる為、レンズ保持枠の姿勢が安定する。
したがって、レンズ保持枠１に固定支持されたカムピンの本数に関わらず、付勢ピン４は１個であることが望ましい。
【００５０】
更に、実施の形態１では、カムピン３ａ、３ｂ、３ｃは、レンズ保持枠１に樹脂射出成型で一体に形成されている構成を示したが、カムピン３ａ、３ｂ、３ｃをレンズ保持枠１と分離して金属切削等で作成し、レンズ保持枠１に圧入固定する等の場合も同じ効果があることは言うまでも無い。
【００５１】
更に、実施の形態１では、レンズ保持枠１に対し付勢ピン４を半径方向に付勢支持する場合を示したが、付勢ピン４とカムピン３ａを光軸方向に離間する方向で付勢支持する場合、あるいは逆に光軸方向に近づく方向で付勢支持する場合も同様の効果があることは言うまでも無い。
【００５２】
更に、実施の形態１では、付勢ピン４を圧縮コイルばね５で付勢する構成を示したが、板ばねまたは、ねじりコイルばねを利用した構成、あるいはレンズ保持枠１の形状を工夫しレンズ保持枠１の付勢ピン４保持部分が弾性変形する様に構成した場合等、他の付勢方法を用いた場合も同様の効果があることは言うまでも無い。
【００５３】
更に、実施の形態１では、レンズ保持枠１に直にレンズ玉２が固定されているが、レンズ玉２をレンズ保持枠１に対し移動する駆動機構を介して保持する場合等、間接的に保持する場合も同様である。
【００５４】
（実施の形態２）
以下実施の形態２は、上記実施の形態１を更に改良する構成を示す。
以下、図５Ａから図８Ｂを用いて、実施の形態２について説明する。
【００５５】
図５Ａ〜図５Ｄは、本実施の形態２のレンズ保持枠ユニットの構成を示す図である。
図５Ａは、斜視図、図５Ｂは、正面図、図５Ｃは、上面図、図５Ｄは、Ａ−Ａ断面図である。
【００５６】
実施の形態１では、レンズ保持枠１に固定支持されたカムピン３ａと、付勢支持された付勢ピン４は、光軸方向に間隔を空けて配置されたが、本実施の形態２では、カムピン３ａの円錐面に対し付勢ピン４が一部食い込む様に近接して配置している。
【００５７】
また、カムピン３ａの付勢ピン４側にはカムピン３ａの円錐面から突出した補強部１０が一体に形成されている。
このように、カムピン３ａに付勢ピン４が一部食い込む様に配置することにより、実施の形態１と比較して、レンズ保持枠１のカムピン３ａおよび付勢ピン４を支持する部分の光軸方向寸法を小さくすることが出来る。
【００５８】
また、カムピン３ａに円錐面から突出した補強部１０を設けることにより、カムピン３ａを補強することができ、カムピン３ａの強度を向上できる。
図６Ａおよび図６Ｂは、実施の形態２のカム枠６の構成を示す図である。
【００５９】
図６Ａは、カム枠の斜視図、図６Ｂは、内径展開図である。
実施の形態１では、カム枠６にはカムピン３ａと係合するカム溝７ａと、付勢ピン４と係合するカム溝７ｄが、光軸方向に間隔を空けて別々に設けられていた。本実施の形態２では、カム溝７ａは、付勢ピン４と係合するカム溝側面９と、カムピン３ａと係合するカム溝側面８とが１本のカム溝７ａとして形成されているところが実施の形態１とは異なる。
【００６０】
すなわち、付勢ピン４は、カム溝側面９に当接し、カムピン３ａは、カム溝側面８に当接しながら、付勢ピン４とカムピン３ａは、カム溝７ａに沿って摺動できる。
通常動作時、カムピン３ａは、カム溝７ａのカム溝側面８としか接触せず、付勢ピン４は、カム溝７ｂのカム溝側面９としか接触しないので、このように構成しても動作には問題が無く、カム枠６には、カム溝７ａの溝が１本分のスペースで済む為、上記実施の形態１と比較して、カム枠６の光軸方向寸法を小さく抑えることができる。
【００６１】
図７Ａおよび図７Ｂは、実施の形態２のレンズ保持枠１とカム枠６を組み合わせた状態を示す図である。
図８Ａおよび図８Ｂは、実施の形態２のカムピン、付勢ピンとカム溝の係合状態を示す断面詳細図である。
【００６２】
本実施の形態２におけるガタ抑制、および、レンズ保持枠の位置を固定する効果は、前記実施の形態１と全く同様である。
実施の形態１と同様に、付勢ピン４と係合するカム溝側面９と、カムピン３ａと係合するカム溝側面８とを１本のカム溝７ａとして形成することにより、レンズ保持枠１およびカム枠６の光軸方向寸法を小さく抑えることが可能となり、レンズ鏡筒全体を小型化することが可能である。
【００６３】
（他の実施の形態）
以上のように、本出願において開示する技術の例示として、実施の形態１〜２を説明した。しかしながら、本開示における技術は、これに限定されず、変更、置き換え、付加、省略などを行った実施の形態にも適用できる。また、上記実施の形態１〜２で説明した各構成要素を組み合わせて、新たな実施の形態とすることも可能である。
【００６４】
そこで、以下、他の実施の形態を例示する。
実施の形態１では、カムピンの一例として、レンズ保持枠１に固定支持されている３個のカムピン３ａ、３ｂ、３ｃを説明した。カムピンは少なくとも１つあればよい。したがって、カムピンの数は限定されない。前述のように、レンズ保持枠１に固定支持されたカムピンを１本とし、レンズ保持枠の光軸方向に対する傾き、偏心を規制する軸を設けてレンズ保持枠の姿勢を決める構成としても良い。あるいは、前述のように、レンズ保持枠に固定支持されたカムピンを２本とし、レンズ保持枠の光軸方向に対する傾き、偏心を規制するガイド機構を設ける構成でも良く、その他の構成も可能であり、レンズ保持枠１に固定支持されたカムピンの本数に関わらず、付勢ピン４は１個であることが望ましい。
【００６５】
また例えば、実施の形態１では、カムピン３ａ、３ｂ、３ｃはレンズ保持枠１に樹脂射出成型で一体に形成されている構成を示したが、カムピン３ａ、３ｂ、３ｃをレンズ保持枠１と分離して金属切削等で作成し、レンズ保持枠に圧入固定する等の場合も同じ効果があることは言うまでも無い。
【００６６】
また例えば、実施の形態１では、レンズ保持枠１に対し付勢ピン４を半径方向に付勢支持する場合を示したが、付勢ピン４とカムピン３ａを光軸方向に離間する方向で付勢支持する場合、あるいは逆に光軸方向に近づく方向で付勢支持する場合も同様の効果があることは言うまでも無い。
【００６７】
また例えば、実施の形態１では、付勢ピン４を圧縮コイルばね５で付勢する構成を示したが、板ばねまたは、ねじりコイルばねを利用した構成、あるいはレンズ保持枠１の形状を工夫しレンズ保持枠１の付勢ピン４保持部分が弾性変形する様に構成した場合等、他の付勢方法を用いた場合も同様の効果があることは言うまでも無い。
【００６８】
また例えば、実施の形態１では、レンズ保持枠１に直にレンズ玉２が固定されているが、レンズ玉２をレンズ保持枠１に対し移動する駆動機構を介して保持する場合等、間接的に保持する場合も同様である。
【産業上の利用可能性】
【００６９】
本開示は、デジタルスチル等に使用されるレンズ鏡筒に適用可能である。
【符号の説明】
【００７０】
１      レンズ保持枠
２      レンズ玉
３ａ、３ｂ、３ｃ  カムピン
４      付勢ピン
５      圧縮コイルばね
６      カム枠
７ａ、７ｂ、７ｄ  カム溝
８      カム溝側面（カムピンと係合する側の側面）
９      カム溝側面（付勢ピンと係合する側の側面）
１０      補強部
１１      レンズ保持枠
１３ａ、１３ｂ  固定カムピン
１４ａ、１４ｂ  付勢カムピン
１６      カム枠
１７ａ、１７ｂ、１７ｄ、１７ｅ、１７ｆ  カム溝
【図１Ａ】
2019092921.tif 000003
【図１Ｂ】
2019092921.tif 000004
【図１Ｃ】
2019092921.tif 000005
【図２Ａ】
2019092921.tif 000006
【図２Ｂ】
2019092921.tif 000007
【図３Ａ】
2019092921.tif 000008
【図３Ｂ】
2019092921.tif 000009
【図４Ａ】
2019092921.tif 000010
【図４Ｂ】
2019092921.tif 000011
【図５Ａ】
2019092921.tif 000012
【図５Ｂ】
2019092921.tif 000013
【図５Ｃ】
2019092921.tif 000014
【図５Ｄ】
2019092921.tif 000015
【図６Ａ】
2019092921.tif 000016
【図６Ｂ】
2019092921.tif 000017
【図７Ａ】
2019092921.tif 000018
【図７Ｂ】
2019092921.tif 000019
【図８Ａ】
2019092921.tif 000020
【図８Ｂ】
2019092921.tif 000021
【図９Ａ】
2019092921.tif 000022
【図９Ｂ】
2019092921.tif 000023
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
レンズ玉を保持するレンズ保持枠と、
前記レンズ保持枠に固定支持された少なくとも２本のカムピンと、
前記レンズ保持枠の前記カムピンのうち１本のみの近傍に付勢支持された付勢ピンと、
前記カムピンおよび付勢ピンのそれぞれと係合するカム溝を有するカム枠と、
を備え、
前記付勢ピンと係合するカム溝は、光軸方向片側の側面で前記付勢ピンと係合し、前記付勢ピンの近傍のカムピンと係合するカム溝は、前記付勢ピンと係合する側面と光軸方向反対側の側面で、前記カムピンと係合する、
レンズ鏡筒。
【請求項２】
前記カム溝は、前記付勢ピンと係合する側面と、前記カムピンと係合する側面とが１本の溝として形成されている、
請求項１記載のレンズ鏡筒。
【請求項３】
前記付勢ピンは、半径方向に付勢支持され、
前記カム溝の、前記付勢ピンと係合する側面の、カム枠の半径方向とのなす角をαとした場合、以下の条件（１）
３３．７°≦α≦４４．４°・・・（１）
を満足する、
請求項１または２に記載のレンズ鏡筒。
【請求項４】
前記付勢ピンは、前記カムピンの形状に対し、一部が食い込む形で支持されている、
請求項１から３のいずれか１項に記載のレンズ鏡筒。
【国際調査報告】
2019092921.tif 000024
2019092921.tif 000025
2019092921.tif 000026
2019092921.tif 000027